(57)【要約】【課題】イメージスキャナにエラーが発生した場合の電力の浪費を回避する画像読み取り装置を提供することにある。【解決手段】ホストコンピュータに接続され、ホストコンピュータとの間で予め定められたインターフェースにしたがって原稿上の画像情報を読み取り、画像データとしてホストコンピュータにデータ転送を行なう画像読み取り装置において、装置本体内のトラブルを検出する検出手段５１１と、原稿の読み取り動作開始を指示する指令の発信元情報を認識する発信元情報認識機能、読み取った画像データの送信先情報を認識する送信先情報認識機能、指定された送信先に接続されたインターフェースの種類を認識するインターフェース認識機能を有する制御部３７と、前記検出手段により装置本体内にトラブルが発生した際に、前記制御部の機能によって得られる情報の組み合わせにより装置本体内に供給する電源の制御を行なう電源制御手段４２０とを備える画像読み取り装置。【選択図】      図２
2004236233.tif 000002
【特許請求の範囲】
【請求項１】
ホストコンピュータに接続され、ホストコンピュータとの間で予め定められたインターフェースにしたがって原稿上の画像情報を読み取り、画像データとしてホストコンピュータにデータ転送を行なう画像読み取り装置において、装置本体内のトラブルを検出する検出手段と、原稿の読み取り動作開始を指示する指令の発信元情報を認識する発信元情報認識機能、読み取った画像データの送信先情報を認識する送信先情報認識機能、及び指定された送信先に接続されたインターフェースの種類を認識するインターフェース認識機能を有する制御部と、前記検出手段により装置本体内のトラブル発生が検知された際に、前記制御部の機能によって得られる情報の組み合わせにより装置本体内に供給する電源の制御を行なう電源制御手段と、を備えることを特徴とする画像読み取り装置。
【請求項２】
装置本体と周辺機器との間が複数のインターフェースで接続可能であり、前記制御部のインターフェース認識機能がこれらを適時認識可能であることを特徴とする請求項１記載の画像読み取り装置。
【請求項３】
原稿の読み取り動作の開始または停止の指示は、装置本体に接続された機器側からインターフェースを介して、あるいは装置本体に装備される操作部により行われ、前記制御部の前記発信元認識機能がこれらの発信元を適時認識可能であることを特徴とする請求項１記載の画像読み取り装置。
【請求項４】
装置本体によって得られた画像データの送信先の情報を認識機能として予め装置本体に登録する登録手段を備え、またはインターフェースを介して装置本体の接続先の情報を取得する取得手段を備え、あるいは前記登録手段または取得手段を任意に選択可能な選択手段を備えることを特徴とする請求項１記載の画像読み取り装置。
【請求項５】
装置本体内への電源供給を装置本体内の機能毎に分離して電源出力して各々の電源出力を個別に制御することを可能とした電源制御手段を有し、この電源制御手段により装置本体内の動作状態に応じて電源出力が制御されることを特徴とする請求項１記載の画像読み取り装置。
【発明の詳細な説明】
【０００１】
【発明の属する技術分野】
本発明は、イメージスキャナに関し、とくに原稿の読み取り動作の状態に応じて電源出力の制御を行なう電源制御手段を備え、イメージスキャナの装置本体のエラーにより動作が停止した際の電力の浪費を回避する手段を備えた画像読み取り装置に関し、さらに詳しくは、書類などの原稿情報を画像データとして読み取り、インターフェースを介してファイリングシステムなどに蓄積する、あるいは印刷装置に出力するための入力手段としての画像読み取り装置に関するものである。
【０００２】
【従来の技術】
イメージスキャナのごとき機器に電源を供給する電源装置において、例えば、電源異常時の保守情報を記憶する手段を有する電源装置がある（例えば、特許文献１参照）。
【特許文献１】特開平６−１５３５１０号公報
【０００３】
【発明が解決しようとする課題】
ホストコンピュータに原稿上の画像情報を入力する画像入力装置の１つにイメージスキャナがある。近年のコンピュータの普及とともに電子ファイリングシステムが広く利用されるようになり、この電子ファイリングシステムの入力装置としてイメージスキャナが利用されている。
例えば保険会社や不動産業などにおいては、業務上発生する多量の契約書などに記載された情報をコンピュータに入力して保管したり、メーカーなどにおいては技術情報などの資料の管理が行われる。そこで、この原稿の入力作業を正確かつ速やかに行なうとともに、情報の共有化や検索作業の効率化などを狙いとして、イメージスキャナにより原稿上の記載内容をイメージデータとして入力する電子ファイリングシステムが構築される。
また、オフイスオートメーション（ＯＡ）機器のネットワーク化が進み、イメージスキャナについてもネットワークに直結して使用することができる、所謂ネットワークスキャナが普及しつつある。
これらの使用環境を考えた場合、従来のイメージスキャナのようにホストコンピュータの脇にイメージスキャナが配置され、ＳＣＳＩに代表されるインターフェースで接続して使用される環境のみならず、ネットワークを介してユーザとイメージスキャナの配置位置が離れた環境で使用されるケースが十分に考えられる。
ネットワーク環境下でネットワークスキャナを使用する場合、スキャナ本体に用意されるネットワーク用操作パネルなどを使って装置が利用されることも多く、またネットワークに繋がる装置も多様化していることから、イメージスキャナで得られるデータの配信先もユーザが直接操作しないデバイス、例えばスキャナから直接集中データベースへの転送なども考えられる。
このようにイメージスキャナを取り巻く多様化した使用環境の中で、イメージスキャナが動作中に何らかのエラーが発生して動作停止した場合、ユーザがエラーを除去するまでに要する時間もまちまちとなることが考えられる（従来の使用環境のように、ユーザが作業を行うホストコンピュータの脇にイメージスキャナが設置されているとは限らないため）。
近年の消費エネルギの低減、エネルギの効率利用の観点から見ると、イメージスキャナの内部で何らかの原因により発生したエラーが速やかに処置されず、放置されたままの状態がある程度続いた場合、この時間に消費する電力は無駄なものと考えることができる。
本発明の目的は、このような点を考慮し解決するために、イメージスキャナにエラーが発生した場合の電力の浪費を回避する画像読み取り装置を提供することにある。
【０００４】
【課題を解決するための手段】
前記の課題を解決するために、請求項１記載の発明では、ホストコンピュータに接続され、ホストコンピュータとの間で予め定められたインターフェースにしたがって原稿上の画像情報を読み取り、画像データとしてホストコンピュータにデータ転送を行なう画像読み取り装置において、装置本体内のトラブルを検出する検出手段と、原稿の読み取り動作開始を指示する指令の発信元情報を認識する発信元情報認識機能、読み取った画像データの送信先情報を認識する送信先情報認識機能、指定された送信先に接続されたインターフェースの種類を認識するインターフェース認識機能を有する制御部と、前記検出手段により装置本体内にトラブルが発生した際に、前記制御部の機能によって得られる情報の組み合わせにより装置本体内に供給する電源の制御を行なう電源制御手段とを備えることを特徴とする画像読み取り装置を最も主要な特徴とする。
請求項２記載の発明では、装置本体と周辺機器との間が複数のインターフェースで接続が可能であり、前記制御部のインターフェース認識機能がこれらを適時認識可能であることを特徴とする請求項１記載の画像読み取り装置を主要な特徴とする。
請求項３記載の発明では、原稿の読み取り動作の開始または停止の指示は、装置本体に接続された機器側からインターフェースを介して、あるいは装置本体に用意される操作部により行われ、前記制御部の前記発信元認識機能がこれらの発信元を適時認識可能であることを特徴とする請求項１記載の画像読み取り装置を主要な特徴とする。
請求項４記載の発明では、装置本体によって得られた画像データの送信先の情報を認識機能として予め装置本体に登録する登録手段を用意し、またはインターフェースを介して装置本体の接続先の情報を取得する取得手段を用意し、あるいは前記登録手段または取得手段を任意に選択可能な選択手段を用意することを特徴とする請求項１記載の画像読み取り装置を主要な特徴とする。
請求項５記載の発明では、装置本体内への電源供給を装置本体内の機能毎に分離出力して各々の電源出力を個別に制御することを可能とした電源制御手段を有し、この電源制御手段により装置本体内の動作状態に応じて電源出力が制御されることを特徴とする請求項１記載の画像読み取り装置を主要な特徴とする。
【０００５】
【発明の実施の形態】
以下、図面により本発明の実施の形態を詳細に説明する。図１は本発明に係る画像読み取り装置を示す全体構成図である。原稿台ガラス１上に置かれる原稿（図示せず）は、第１ミラー２と一体に構成された照明ランプ３により照射され、その反射光は、第１ミラー２および一体に構成された第２ミラー４、第３ミラー５で走査される。
その後反射光は、レンズ３１により集束され、ＣＣＤ６に照射され光電変換される。第１ミラー２、照明ランプ３および第２ミラー４、第３ミラー５は、走行体モータ７を駆動源として、矢印Ａ方向に移動可能となっている。
原稿トレイ８に積載された原稿は、ピックアップローラ９、レジストローラ対１０、搬送ドラム１１、搬送ローラ１２により読み取り位置Ｂを経て、搬送ローラ対１３および排紙ローラ対１４へ送り込まれ、排紙トレイ３２上に排出される。
原稿は、読み取り位置Ｂを通過する際に、読み取り位置Ｂ近傍に移動されている照明ランプ３により照射され、その反射光は、第１ミラー２および一体に構成された第２ミラー４、第３ミラー５で走査される。その後反射光は、レンズ３１により集束され、ＣＣＤ６に照射され光電変換される。
ピックアップローラ９、レジストローラ対１０は、給紙モータ（図示せず）により駆動され、搬送ドラム１１、搬送ローラ１２、搬送ローラ対１３、排紙ローラ対１４は、搬送モータ（図示せず）により駆動される。
【０００６】
読み取り位置Ｃには密着イメージセンサ１５が設置されている。密着イメージセンサ１５は、光源であるＬＥＤ（図示せず）、レンズ（図示せず）、センサ素子（図示せず）で構成されている。原稿は、読み取り位置Ｃを通過する際に、読み取り位置Ｂで読み取られた反対の面（裏面）を読み取り位置Ｃに設置されている密着イメージセンサ１５内のランプにより照射される。
その反射光は密着イメージセンサ１５上のレンズにより集束され、密着イメージセンサ１５上のセンサ素子が照射され光電変換される。密着イメージセンサ１５の原稿を挟んだ対向部には白色ローラ１７が設置されていて、密着イメージセンサ１５による読み取り時のシェーディング補正用白色部材として使用される。
搬送ローラ対１３と排紙ローラ対１４の間には、エンドーサユニット１８とエンドーサプラテン１９が設置されている。エンドーサユニット１８はインクを染み込ませたアルファベット文字と数字の印からなる印字部と、印字部をエンドーサプラテン方向に加圧する加圧ソレノイド（図示せず）から構成されている。
原稿をエンドーサユニット１８上に停止させ、エンドーサプラテン１９で加圧方向に固定し、エンドーサユニット１８の印字部への加圧により原稿面にアルファベット文字や数字を印字することができる。
【０００７】
図２は本発明に係る画像読み取り装置を示す全体ブロック図である。図２において、ＳＢＵ２０上のＣＣＤ６に入光した原稿の反射光は、ＣＣＤ６内で光の強度に応じた電圧値を持つアナログ信号に変換される。アナログ信号は、奇数ビットと偶数ビットに分かれて出力される。
上記アナログ画像信号は、ＳＢＵ２０上でアナログ処理回路（図示せず）暗電位部分が取り除かれ、奇数ビットと偶数ビットが合成され、所定の振幅にゲイン調整された後にＡ／Ｄコンバータに入力されデジタル信号化される。
デジタル化された画像信号は、ＳＣＵ２１上のＮＩＰＵ３３で、シェーディング補正、ガンマ補正、ＭＴＦ補正等が行なわれた後、２値化され、ページ同期信号、ライン同期信号、画像クロックとともにビデオ信号として出力される。
ＮＩＰＵ３３から出力されたビデオ信号は、コネクタ３４を介してオプションＩＰＵ２６へ出力されている。オプションＩＰＵ２６へ出力されたビデオ信号は、オプションＩＰＵ２６内で所定の画像処理が行なわれ、再びＳＣＵ２１へ入力される。
再びＳＣＵ２１へ入力されたビデオ信号は、セレクタ（図示せず）に入力される。前記セレクタのもう一方の入力はＮＩＰＵ３３から出力されたビデオ信号となっていて、オプションＩＰＵ２６で画像処理するかしないかを選択できる構成となっている。
前記セレクタから出力されたビデオ信号は、画像データ記憶手段（ＤＲＡＭ）を管理するＳｉＢＣ３５に入力され、ＤＲＡＭで構成される画像メモリに蓄えられる。画像メモリに蓄えられた画像データは、ＳＣＳＩコントローラ３６に送られ、パソコン等の外部装置へ転送される。
また、ＳＣＵ２１上には拡張スロット（図示せず）が用意され、ＳｉＢＣ３５によって制御される画像データは拡張スロット（図示せず）を介して接続される拡張インターフェースユニットに転送され、所定のインターフェース手段により外部装置に転送できる構成を採る。
【０００８】
図２においては一例として拡張スロット（図示せず）に接続されるユニットにネットワークコントローラ２７を挙げており、図２の構成によれば、ネットワークコントローラ２７を介して本画像読み取り装置をネットワーク環境下で使用することが可能となる。
またこのとき、ネットワーク対応としてネットワーク操作パネル（２９）を本画像読み取り装置に接続し、ネットワーク操作パネル２９から本画像読み取り装置の操作を行うことが可能となる。
密着イメージセンサ１５で光電変換されたアナログ画像信号は、ＲＳＢＵ１６上でデジタル変換される。デジタル化された画像信号は、ＲＳＢＵ１６上でシェーディング補正が施された後に、ＲＣＵ２３へ送られる。
ＲＣＵ２３は、  ＤＲＡＭで構成される画像メモリと画像データメモリを制御するＳｉＢＣで構成され、画像データをいったん画像メモリに蓄積した後にＳＣＵ２１へ転送する。ＲＣＵ２３からＳＣＵ２１へ送られた画像データと、ＳＣＵ２１上のＳｉＢＣ３５から出力される画像データは切り替え可能となっており、
いずれかの画像データを選択してＳＣＳＩコントローラ３６へ転送される。
ＳＣＵ２１上には、ＣＰＵ３７、ＲＯＭ３８、ＲＡＭ３９が実装されており、ＣＰＵ３７は、ＳＣＳＩコントローラ３６を制御してパソコン等の外部装置との通信を行なう。また、ＣＰＵ３７は、ステッピングモータである走行体モータ７、給紙モータ、搬送モータのタイミング制御も行なっている。
ＡＤＵ３０は、自動原稿搬送機構（ＡＤＦ）部に用いる電装部品の電力供給を中継する機能を有している。
ＳＣＵ２１上のＣＰＵ３７に接続されている入力ポートは、ＩＯＢ２４を介して本体操作パネル２８に接続されている。本体操作パネル２８上にはスタートスイッチ（図示せず）とアボートスイッチ（図示せず）が実装されている。それぞれのスイッチが押下されると入力ポートを介してＣＰＵ３７はスイッチがオンされたことを検出する。
また、本体操作パネル２８上にはＬＥＤ（図示せず）が用意され、本画像読み取り装置のステータス、例えば画像データ転送中や本体エラー発生などの表示を行う。
【０００９】
図３は本発明にかかる画像読み取り装置が使用される環境の一例を示す概略図である。図３に示すように、プリンタやサーバー、ワークステーションなどがネットワーク（同図ではイーサネット（登録商標）と表示する）を介して複数接続され、本発明にかかる画像読み取り装置（同図ではスキャナと表示する）もこれらの機器と同様にネットワークに接続される。
また、図２に記載したように、本画像読み取り装置はＳＣＳＩが用意されていることから、ＳＣＳＩ３０２を介してパソコンとローカルに接続することも可能となる。
本実施の形態ではパソコンとローカルに接続するためのインターフェースとしてＳＣＳＩ３０２を一例として挙げているが、これをＩＥＥＥ１３９４やＵＳＢなどのインターフェースと置き換えてもシステム構成は同じである。
本発明にかかる画像読み取り装置の配置位置としては、ＳＣＳＩ３０２などのローカルなインターフェースの場合、そのインターフェースの規格等の制約上、接続されるパソコンの近く（周囲）に配置する必要があるが、ネットワーク接続の場合、必ずしもパソコンの近く（周囲）の配置でなくてもよい。
したがって、同一のネットワーク上に接続されているパソコンやサーバーなどからの読み取り動作指示のみでなく、図２でも説明したように、ネットワーク操作パネルを画像読み取り装置上に配して、このネットワーク操作パネルからデータの送信先、読み取り動作条件設定などの操作を行うことができる。
それゆえ、ユーザから見れば、ユーザが作業するパソコン、ワークステーションなどの同一ネットワークに接続された機器上、あるいは本画像読み取り装置の前で作業を行うことができることから、本画像読み取り装置が読み取り動作中にエラーを発生した場合、速やかにエラーへの対処が行えるかどうかはユーザの作業状態によって異なってくる。
本発明は、本画像読み取り装置に何らかのエラーが発生した際にユーザの作業状態、エラー処理までに要する時間等を予測し、エラー発生中の画像読み取り装置の電力の浪費を低減することを目的としている。
【００１０】
図４は本発明による画像読み取り装置に搭載される電源装置を示す概略図である。電源装置には電源スイッチ（図示せず）が配置されており、このスイッチのオン／オフによって交流電源（商用電源）４０１の投入・遮断が行なえるようになっている。
電源スイッチ（図示せず）がオンになると、投入された交流電源４０１は、整流ダイオード４０３、平滑コンデンサ４０４で整流・平滑され、ＦＥＴ４０５のオン／オフ動作により、高周波パルスに変換されてメイントランス４１１に印加される。
メイントランス４１１では、印加された高周波パルスを一次側と二次側の巻線比により所定の電圧に変換して出力する。メイントランス４１１から出力されたパルスは二次側整流・平滑回路４０６により整流・平滑化され、画像読み取り装置に必要な直流電圧に変換される。
この直流電圧は画像読み取り装置に必要とされる複数種の直流電圧となる。これらの直流電圧は、各電圧系統に挿入されたスイッチ素子４３１〜４３４を介して、装置内の負荷１（４２１）および負荷２（４２２）に供給される。但し、負荷１（４２１）に供給する電源系統はスイッチ素子を持たないこととする。
つまり、負荷１（４２１）に対しては装置の如何なる状態においても常時電源供給が行われていることとなる。ここで、負荷１（４２１）および負荷２（４２２）についての説明を簡単に行なう。
負荷１（４２１）としては、ＣＰＵやその周辺回路、外部インターフェース回路などを選択し、低電力状態にある装置が予め定められたトリガで動作待機状態に復帰するために最低限必要な負荷が選択される。負荷２（４２２）は、上記以外の負荷で、例えば光源やステッピングモータなどは負荷２（４２２）として扱われる。
前述のように、メイントランス４１１で生成された直流電圧は、スイッチ素子４３１〜４３４を介して出力される。スイッチ素子４３１〜４３４は電源制御部４２０を介して得られる制御信号により、直流出力電圧の出力のオン／オフ制御を行なう。
電源制御部４２０は、負荷１（４２１）のＣＰＵから画像読み取り装置の動作状態の情報を得て、この情報に合わせたスイッチ素子４３１〜４３４のオン／オフ制御を行なう。電源制御部４２０は本図に記す電源装置の内部に配置されていても、もしくは装置における負荷１（４２１）の一部であってもよい。
【００１１】
図５は本発明による画像読み取り装置の構成を、電源供給経路および装置内の機能毎に示す概略的なブロック図である。図５において、電源装置５００内のＤＤＣ（ＤＣ／ＤＣコンバータ）５０１によって複数種の直流出力が生成され、これらはスイッチ手段５０３を介して装置内の負荷１（５１２）と負荷２（５０４））に供給される。ＤＤＣ５０１は図４でも説明したように、交流電源を整流平滑して得られる直流をスイッチングによりトランスを介して所定の直流電圧に変換する機能を持つ部分である。
スイッチ手段５０３はバス５０２を介して主制御部５０６によってオン／オフ制御される。本図においては、図４で説明した電源制御部４２０が主制御部５０６の内部に構成されるものとする。
生成（図６において詳述）された出力電圧（出力１〜出力６）は、それぞれ画像読み取り装置内の負荷１（５１２）、負荷２（５０４）に供給される。負荷１（５１２）へは出力６が供給され、図５においては出力６はその経路にスイッチ手段５０３を持たないこととする。
すなわち、負荷１としては常時電源供給が行われ、機能的には常時動作している必要がある負荷、例えばＣＰＵや、外部インターフェースとの接点（図２におけるネットワークコントローラやＳＣＳＩコントローラなど）などを有するものとする。
負荷２（５０４）としては、常時電源供給の必要のないもの、例えば光源やスキャナモータなどが挙げられる。
エラー検出部５１１は負荷１（５１２）内に配置され、負荷２（５０４）に位置される各負荷の動作状態や、原稿の搬送経路上のセンサ出力、負荷１（５１２）内部の動作状態、操作部５１０や外部Ｉ／Ｆ５０８接続部の状態などを監視し、装置の動作中あるいは待機中の状態、エラー発生有無をモニタする。
読み取り指示発信元検出部５０９は負荷１（５１２）内に配置され、読み取り動作要求があった際に、その要求がどこから発せられたものか、すなわち外部インターフェース５０８からの動作要求なのか、操作部５１０による動作要求なのかなどを検出する。
【００１２】
Ｉ／Ｆ検出部５０７は負荷１（５１２）内に配置され、装置が接続されている外部インターフェース５０８の種類、読み取り動作により得られる画像データの転送先の情報、外部インターフェース５０８から動作要求があったときの動作要求の発信元の情報などを検出する。
主制御部５０６は負荷１（５１２）内に配置され、エラー検出部５１１からの装置内部のエラー情報、読み取り指示発信元検出部５０９からの読み取り動作要求元の情報、Ｉ／Ｆ検出部５０７からの使用するインターフェースの情報やデータ転送先の情報などから、装置内でエラーが発生して装置の動作が停止した際にエラーの除去処理が速やかに行われるか、あるいはエラー除去処理がなされるまでに時間を要するかを予測する。
この予測結果に応じて電源装置５００内のスイッチ手段５０３を制御し、エラーに直接関係がなく、その時点で電源供給を遮断してもよい負荷に対しての電源供給を遮断する。
ユーザによりエラー除去がなされた場合、エラー検出部５１１はエラー除去有無を検出し、このエラー検出部５１１からの信号に基いて、遮断されていた電源の供給を再開するか、あるいは次の動作要求があるまで遮断したままの状態を保持するかなどの制御を決定し、この決定に基いて電源装置５００内のスイッチ手段５０３を制御する。
【００１３】
図６は本発明にかかる画像読み取り装置の動作フローの一例を示すフローチャートである。ユーザが画像読み取り装置に対して読み取り動作の要求を行うと、読み取り指示発信元検出部５０９は、その動作要求がどこから発せられたものか検出する（Ｓ１）。
次に、別途設定された読み取り動作に関する各種設定、例えば解像度やコントラストなどの画質に関する設定などに基いて読み取り動作を開始する（Ｓ２）。
このとき、得られる画像データの送信先などの設定も行うことから、この設定に基いてＩ／Ｆ検出部５０７はデータ転送先の情報なども認識する。
次に、読み取り動作中はエラー検出部５１１により、装置内各部のエラー有無を検出し、エラー発生時はエラー発生場所の情報を含めて主制御部にその情報を渡し、主制御部５０６は動作の停止を行う（Ｓ３）。
読み取るべき原稿が１枚であるか、あるいは複数枚の原稿を一括で読み取る場合であっても、原稿１枚の読み取り終了毎に読み取り終了か否かを確認し、連続読み取りの要求であれば引き続き読み取り動作を行い、読み取り終了であれば一連の読み取り動作（１ジョブ）を終了する（Ｓ４）。
読み取り動作中にエラー検出部５１１によってエラーが検出された場合、主制御部５０６は現在行っている読み取り動作を一旦中断し（Ｓ５）、本体操作パネル等によりエラーの発生を表示する。
エラー発生の表示は、外部インターフェースを介してパソコン等の画面にダイアログ表示することも可能である（Ｓ６）。画像読み取り装置は、エラー発生の表示（Ｓ６）を行うとともに、読み取り指示発信元検出部５１０からの読み取り指示の発信元の情報を入手し（Ｓ７）、画像データの転送先の情報を入手し（Ｓ８）、そして使用するインターフェースの情報を入手（Ｓ９）する。
また、エラー発生時の電源制御が有効であるか否かの情報（Ｓ１０）と合わせて、エラー発生した装置が放置されても装置本体、あるいはインターフェースを介して影響を及ぼさない装置内部の負荷への電源供給経路を検索する。
そしてまた読み取り指示発信元の情報（Ｓ７）、画像データの転送先の情報（Ｓ８）と使用するインターフェースの情報（Ｓ９）から、ユーザがエラー除去処理を完了して動作可能な状態に復帰するまでに要する時間を予測して、遮断できる電源供給経路を決定し（Ｓ１１）、遮断する（Ｓ１２）。
【００１４】
図７は本発明による画像読み取り装置が低電力モードを有する場合の動作フローの一例を示すフローチャートである。近年の消費エネルギ低減化の流れを汲み、画像読み取り装置（イメージスキャナ）についても待機時の電力消費を低減すべく省エネモード（低電力モード）が用意されていることが多い。
低電力モードは、装置の動作終了から一定時間経過後に低電力モードに移行するような制御が行われるのが一般的である。したがって、基本的には図６の動作フローと同じ（Ｓ２１〜Ｓ３１が図６におけるＳ１〜Ｓ１２に相当）である。
しかしながら、読み取り終了確認（Ｓ２４）した後に、画像読み取り装置の低電力モードが有効か否かを判別し（Ｓ３２）、低電力モードが無効であれば待機状態をそのまま保持する。
低電力モードが有効である場合、画像読み取り装置が待機状態になってから低電力モードに移行するまでの移行時間を確認し（Ｓ３３）、設定されている移行時間が経過したら（Ｓ３４）、不要な電源経路を遮断（Ｓ３５）することにより低電力モードに移行してその状態を保持する。
読み取り動作中に何らかのエラーが発生して停止した場合、図６の説明と同様に、エラー発生した装置が放置されても装置本体、あるいはインターフェースを介して影響を及ぼさない装置内部の負荷への電源供給経路を検索し、また読み取り指示発信元の情報（Ｓ２７）、画像データの転送先の情報（Ｓ２８）と使用するインターフェースの情報（Ｓ２９）から、ユーザがエラー除去処理を完了して動作可能な状態に復帰するまでに要する時間を予測する。
遮断できる電源供給経路を決定し（Ｓ３１）、エラー時の電源制御が有効であれば（Ｓ３０）、正常時の低電力モードへの移行と同様に、先に決定した遮断できる電源供給経路（Ｓ３１）を遮断する動作を行う。ただし、この時はエラーが除去されるまでは本体表示パネルのＬＥＤによるエラー表示等は継続して表示される。
【００１５】
【発明の効果】
以上説明したように、請求項１によれば、装置内部で何らかのエラーが発生して装置の動作が停止しても、そのエラーが処理されるまでの間の装置電力の浪費を回避することができ、装置全体としての消費エネルギーの低減に貢献することができる。
請求項２によれば、装置が接続可能となる外部インターフェースを複数用意することで、ユーザが本装置を使用する環境の幅が広がるとともに、１つのジョブに対する消費電力の適正化を図ることが可能となり、結果として装置のエネルギ消費効率の改善に貢献することが可能となる。
請求項３および請求項４によれば、１つのジョブにおけるそのジョブの要求元とデータ送信先を動作内容と共に把握することで、そのジョブに適した消費電力の適正化を図ることが可能となり、結果として装置のエネルギ消費効率の改善に貢献することが可能となる。
請求項５によれば、装置を構成する負荷への電源供給を、装置の動作状態に応じて適正化することが可能になるため、装置の各動作状態に適した消費電力の適正化を図ることが可能となり、結果として装置のエネルギ消費効率の改善に貢献することが可能となる。
【図面の簡単な説明】
【図１】本発明に係る画像読み取り装置を示す全体構成図である。
【図２】本発明に係る画像読み取り装置を示す全体ブロック図である。
【図３】本発明にかかる画像読み取り装置が使用される環境の一例を示す概略図である。
【図４】本発明による画像読み取り装置に搭載される電源装置を示す概略図である。
【図５】本発明による画像読み取り装置の構成を、電源供給経路および装置内の機能毎に示す概略的なブロック図である。
【図６】本発明にかかる画像読み取り装置の動作フローの一例を示すフローチャートである。
【図７】本発明による画像読み取り装置が低電力モードを有する場合の動作フローの一例を示すフローチャートである。
【符号の説明】
３７  制御部（ＣＰＵ）
４２０  電源制御部
５０６  主制御部
５０７  Ｉ／Ｆ検出部
５０９  読み取り指示発信元検出部
５１０  操作部
５１１  エラー検出部（トラブル検出手段）
【図１】
2004236233.tif 000003
【図２】
2004236233.tif 000004
【図３】
2004236233.tif 000005
【図４】
2004236233.tif 000006
【図５】
2004236233.tif 000007
【図６】
2004236233.tif 000008
【図７】
2004236233.tif 000009